(57)【特許請求の範囲】
【請求項１】
設置面に固定される取付部材と、
発光部を含み、前記取付部材に着脱可能に接続する照明体とを備え、前記取付部材は、円盤状部材の縁部が起立したカップ状の形状を有し、前記照明体に向かって開口する照明体収容部と、前記設置面に対向する面の背面側に、前記照明体が接続する被接続部を有し、
前記照明体は、前記発光部の背面側に、前記取付部材に接続する接続部を有し、前記接続部から前記発光部に向かうにつれて外方に傾斜する外周面を含み、
前記照明体収容部は、前記被接続部から前記照明体収容部の開口部に向かうにつれて外方に傾斜する内周面を含み、
前記照明体収容部の内周面の傾斜角度は、前記照明体の外周面の傾斜角度よりも大きいことを特徴とする照明器具。
【請求項２】
前記照明体は、人感センサー部を前記発光部の中心に設けていることを特徴とする請求項１に記載の照明器具。
【発明の詳細な説明】
【技術分野】
【０００１】
本発明は、階段壁や廊下壁などの屋内設置面に取り付けて使用する照明器具に関する。
【背景技術】
【０００２】
従来、階段壁や廊下壁などの屋内設置面に取り付けて使用する照明器具として、例えば、特許文献１に示すような照明器具が知られている。
【０００３】
この特許文献１に示される照明器具は、ＬＥＤ発光源が実装された基板、本体ベース、点灯回路、カバー、底板、人感センサを主な構成要素とする照明装置と、壁等にネジ止めされる固定器具とを備えている。
【０００４】
照明装置のカバーの縁部には、カバーの表面側から穿設された長尺溝が形成されている。固定器具は、例えば弾性を有する金属からなり、平板部から立設されたアーム板の先端部がＵ字状に折り曲げられ、長尺溝に入り込むように構成されている。
【０００５】
そして、この固定器具のアーム板に照明装置の長尺溝を対応させるように位置付けて、照明装置を固定器具に押しつけることにより、アーム板の弾性力によって照明装置が固定器具に挟持され、固定され、照明器具が設置面に取り付けられた状態となる。
【先行技術文献】
【特許文献】
【０００６】
【特許文献１】特開２０１２−８４３２８号公報
【発明の概要】
【発明が解決しようとする課題】
【０００７】
しかしながら、上記の照明器具では、照明装置が固定器具に強く保持されて、固定器具と一体化しているため、例えば、壁面に設置した照明器具に人体や器物が当たるなど、照明器具の外周側から力が加わると、設置面に剪断応力が発生して壁面が損傷するという問題があった。
【０００８】
本発明は、上記課題を解決するためになされたものであり、階段壁や廊下壁などの屋内設置面に取り付けて使用する照明器具において、照明器具の外周側から力が加わっても、壁面が損傷することのない照明器具を提供することを目的とする。
【課題を解決するための手段】
【０００９】
前記の目的を達成するため、本発明の照明器具は、設置面に固定される取付部材と、発光部を含み、前記取付部材に着脱可能に接続する照明体とを備え、前記取付部材は、円盤状部材の縁部が起立したカップ状の形状を有し、前記照明体に向かって開口する照明体収容部と、前記設置面に対向する面の背面側に、前記照明体が接続する被接続部を有し、前記照明体は、前記発光部の背面側に、前記取付部材に接続する接続部を有し、前記接続部から前記発光部に向かうにつれて外方に傾斜する外周面を含み、前記照明体収容部は、前記被接続部から前記照明体収容部の開口部に向かうにつれて外方に傾斜する内周面を含み、前記照明体収容部の内周面の傾斜角度は、前記照明体の外周面の傾斜角度よりも大きいことを特徴とする。
さらに、本発明の照明体は、人感センサー部を前記発光部の中心に設けていることを特徴とする。
【発明の効果】
【００１０】
本発明の照明器具によれば、壁の設置面に固定される取付部材の前方に、着脱可能な照明体を接続していることから、照明器具の外周側から力が加わった場合、力は取付部材に直接加わるのでなく、照明体に先に加わる。そして、照明体の外周面が接続部から発光部に向かうにつれて外方に傾斜していることにより、照明体に加えられた力の一部が、接続部から離間する方向である照明体の前方に分散し、取付部材から照明体が離脱するように作用するので、設置面に剪断応力が発生することが抑制され、壁面が損傷することが防止される。
【図面の簡単な説明】
【００１１】
【図１】本発明の一実施形態にかかる照明器具の分解斜視図であり、（ａ）は照明体側から見た図、（ｂ）は取付部材側から見た図である。
【図２】図１における取付部材に照明体が接続した状態を示す図である。
【図３】図１における取付部材の平面図である。
【図４】図１における照明体の底面図である。
【図５】図３のＡ−Ａ断面図である。
【図６】図１における照明体の正面図である。
【発明を実施するための形態】
【００１２】
以下、本発明の実施形態について、図面を参照して説明する。
【００１３】
図１〜４において、本発明の一実施形態にかかる照明器具１は、階段壁や廊下壁などの屋内設置面に固定される取付部材２と、この取付部材２に接続して使用される照明体３とを備えている。
【００１４】
取付部材２は、円盤状部材の縁部が一方に向けて折り曲げられたカップ状の照明体収容部２１を有し、照明体収容部２１の折り曲げられた方向と反対の方向に、設置面に対向する面２２が形成されている。
【００１５】
一方、照明体収容部２１の折り曲げられた方向と同一の方向には、設置面に対向する面２２の背面２３から突出する第１固定部材収容部２４、第２固定部材収容部２５と被接続部２６が形成されている。
【００１６】
ここで、第１固定部材収容部２４は、ネジ止めして取付部材２を設置面に固定する場合に使用するもので、第１固定部材収容部２４の中心に、ネジを収容するための貫通孔が開けられている。第１固定部材収容部２４は、取付部材２の中心を軸とする１８０°回転対称の位置に１つずつ配設されている。
【００１７】
また、第２固定部材収容部２５は、釘を打ち付けて取付部材２を設置面に固定する場合に使用するもので、第２固定部材収容部２５の中心に、釘を収容するための貫通孔が開けられている。第２固定部材収容部２５は、２つの第１固定部材収容部２４を結ぶ直線に垂直な直線上にあり、取付部材２の中心を軸とする１８０°回転対称の位置に１つずつ配設されている。
【００１８】
被接続部２６は、照明体３が接続するためのものであり、照明体３に向かって開口する被接続体収容部２６１と被接続体収容部２６１に収容されている被接続体２６２とを含んでいる。そして、被接続部２６は、２つの第２固定部材収容部２５を結ぶ直線上にあって、第２固定部材収容部２５よりも取付部材２の外周側にあり、取付部材２の中心を軸とする１８０°回転対称の位置に１つずつ配設されている。被接続体２６２は、被接続体収容部２６１の開口部より内方に窪んで収容されており、被接続体収容部２６１の開口部と被接続体２６２の上面との間には段差が形成されている。
【００１９】
図３および５に示すように、照明体収容部２１の内周面２１１は、被接続部２６から照明体収容部２１の開口部２１２に向かうにつれて外方に傾斜している。図５における内周面２１１の傾斜角度θ１は、２５°〜３５°の範囲にある。ここで、「内周面２１１の傾斜角度θ１」は、取付部材２の中心を通り、取付部材２の設置面に対向する面２２に垂直な断面において、取付部材２の設置面に対向する面２２に垂直な方向Ｘ１と内周面２１１とのなす角度として求めることができる。また、本実施形態では、被接続体収容部２６１の上面が取付部材２の設置面に対向する面２２と平行とされているため、被接続体収容部２６１の上面に垂直な方向Ｘ１と内周面２１１とのなす角度として求めることもできる。
【００２０】
被接続体２６２を除く取付部材２の基体は、例えばポリカーボネートのような熱可塑性のプラスチック材料でできており、素材から一体成型して得られる。被接続体２６２は磁性体材料で作られ、本実施例では鉄板の表面にニッケルメッキを施したものが用いられている。
【００２１】
照明体３は、発光部３１、人感センサー部３２と本体ケース３３を有している。発光部３１は、外側が透光性カバーで覆われており、その内側にＬＥＤ発光源が実装された基板や点灯回路などが配設されている。人感センサー部３２は、発光部３１の中心部に設けられており、人感センサーが正面からの人体を検知することにより、発光部３１が点灯する。
【００２２】
本体ケース３３は、発光部３１の背面側に接続して設けられており、本体ケース３３の中央の列に電池収容部３４が形成され、その外側の列に電池収容部３４を挟むようにして一対の接続部３５が形成されている。なお、電池収容部３４と接続部３５との間には、電池収容部３４の外辺に沿う一対の溝部３６が形成されていて、その溝部３６に線材でできたフック３７が差し込まれているが、このフック３７は、照明体３を取付部材２に接続して使用するのではなく、照明体３自体を立てて単独で使用する場合のスタンドとなるものである。
【００２３】
接続部３５は、取付部材２に接続するためのものであり、取付部材２に向かって開口する接続体収容部３５１と、接続体収容部３５１に収容されている接続体３５２とを含んでいる。そして、接続部３５は、溝部３６よりも取付部材２の外周側にあり、取付部材２の中心を軸とする１８０°回転対称の位置に１つずつ配設されている。接続体３５２の中心には、貫通孔が開けられており、この貫通孔にネジ部材３５３が挿入されている。接続体３５２は、接続体収容部３５１の開口部より外方に突出して収容されており、接続体収容部３５１の開口部と接続体３５２の上面との間に段差が形成されている。また、ネジ部材３５３は、接続体３５２の上面より内方に窪んで収容されている。
【００２４】
図４および６に示すように、照明体３は、接続部３５から発光部３１に向かうにつれて外方に傾斜する外周面３３１を含んでいる。すなわち、本体ケース３３の外周面３３１が、接続部３５から発光部３１に向かうにつれて外方に傾斜している。図６における外周面３３１の傾斜角度θ２は、５°〜１５°の範囲にある。ここで、「外周面３３１の傾斜角度θ２」は、照明体３を正面視した場合の、照明体３の底面３８に垂直な方向Ｘ２と外周面３３１とのなす角度として求めることができる。
【００２５】
本体ケース３３は、例えばポリカーボネートのような熱可塑性のプラスチック材料でできており、素材から一体成型して得られる。接続体３５２は永久磁石で作られ、ネジ部材３５３は磁性体材料で作られている。接続体３５２は、ネジ部材３５３に磁着し、ネジ部材３５３と一体化して接続体収容部３５１に収容されている。
【００２６】
図３、４において、被接続体収容部２６１の開口部は、接続体収容部３５１の開口部より大きい。ここで、「接続体収容部３５１の開口部よりも被接続体収容部２６２の開口部の方が大きい」とは、接続体収容部３５１の開口部と被接続体収容部２６２の開口部を重ね合わせた場合に、被接続体収容部２６２の開口部に接続体収容部３５１の開口部が含まれうるということを意味している。
【００２７】
このような構成の照明器具１を屋内設置面に取り付けて使用するには、まず取付部材２を設置面に固定する。固定する方法としては、第１固定部材収容部２４にネジを挿入して設置面にネジをねじ込む方法や、第２固定部材収容部２５に釘を挿入して設置面に釘を打ち込む方法などがあるが、設置面を傷つけないようにするため、取付部材２の設置面に対向する面２２を設置面に両面粘着テープなどで接着する方法を用いてもよい。
【００２８】
次に、このようにして設置面に固定した取付部材２に照明体３を接続する。接続するには、まず、照明体収容部２１の内周面２１１に沿って、照明体３を取付部材２に挿入する。そして、照明体３を回転させて、照明体３の接続体３５２を取付部材２の被接続体２６２に当接させる。本実施形態では、接続体３５２が永久磁石からなり、被接続体２６２が磁性体材料からなるように構成されているので、接続体３５２を被接続体２６２に当接するだけで照明体３が取付部材２に接続される。
【００２９】
ここで、被接続体収容部２６１の開口部が接続体収容部３５１の開口部より大きく、また、被接続体２６２が被接続体収容部２６１の開口部より内方に窪んで収容され、接続体３５２が接続体収容部３５１の開口部より外方に突出して収容されていることから、照明体３を回転させていくと、所定の位置で接続体３５２の突出した部分が被接続体収容部２６１の窪みに入り込み、そこで接続体３５２と被接続体２６２が自動的に当接する仕組みとなっている。これにより、図２に示すような照明器具１が、屋内設置面に取り付くことになる。
【００３０】
照明器具１は、例えば階段や廊下などの壁面に取り付けて使用する。この場合、階段や廊下を行き来する人や運搬器材が照明器具１に接触し、照明器具１の外周側から力が加わることがある。このような場合、本実施形態の照明器具１は、壁の設置面に固定される取付部材２の前方に着脱可能な照明体３を接続していることから、力は取付部材２に直接加わるのでなく、照明体３に先に加わる。そして、照明体３の本体ケース３３の外周面３３１が接続部３５から発光部３１に向かうにつれて外方に傾斜していることにより、照明体３に加えられた力の一部が、接続部３５から離間する方向である照明体３の前方に分散し、取付部材２から照明体３が離脱するように作用するので、設置面に剪断応力が発生することが抑制され、壁面が損傷することが防止される。
【００３１】
また、取付部材２は、照明体３に向かって開口する照明体収容部２１を有していることから、照明器具１の外周側から力が加わったとしても、照明体収容部２１内に照明体３が保持されるので、壁面が損傷することが防止されることに加え、取付部材２から照明体３が脱落することが防止される。
【００３２】
照明体３の外周側から極めて大きな力が加わった場合には、照明体３の接続部３５が取付部材２の被接続部２６から離脱し、照明体３の端部が照明体収容部２１の内周面に接触して、照明体３が照明体収容部２１の外に移動するように力が作用する。このような場合、本実施形態の照明器具１は、照明体収容部２１の内周面２１１が被接続部２６から照明体収容部２１の開口部２１２に向かうにつれて外方に傾斜していることから、照明体３が傾斜した照明体収容部２１の内周面２１１に沿ってスムーズに移動するので、設置面に剪断応力が発生することが抑制され、壁面が損傷することが防止される。
【００３３】
また、照明体収容部２１の内周面２１１の傾斜角度θ１が照明体３の外周面３３１の傾斜角度θ２より大きいことから、照明体３の外周面３３１が照明体収容部２１の開口部２１２に接することなく照明体収容部２１の内周面２１１に沿って移動するので、設置面に剪断応力が発生することがさらに抑制され、壁面が損傷することが防止される。
【００３４】
以上説明したように、本発明の照明器具によれば、壁の設置面に固定される取付部材の前方に、着脱可能な照明体を接続していることから、照明器具の外周側から力が加わった場合、力は取付部材に直接加わるのでなく、照明体に先に加わる。そして、照明体の外周面が接続部から発光部に向かうにつれて外方に傾斜していることにより、照明体に加えられた力の一部が、接続部から離間する方向である照明体の前方に分散し、取付部材から照明体が離脱するように作用するので、設置面に剪断応力が発生することが抑制され、壁面が損傷することが防止される。
【００３５】
なお、本発明は上記実施形態に限定されるものではなく、本発明の範囲内で多くの修正および変更を加えることができる。
【００３６】
例えば、上記の実施形態では、被接続体２６２に磁性体材料を用い、接続体３５２に永久磁石を用いた構成を示したが、これとは逆に、被接続体２６２に永久磁石を用い、接続体３５２に磁性体材料を用いてもよい。また、被接続体２６２、接続体３５２の双方を永久磁石としても構わない。
【００３７】
また、上記の実施形態では、被接続体収容部２６１の開口部が接続体収容部３５１の開口部より大きい構成を示したが、これとは逆に、接続体収容部３５１の開口部の方が被接続体収容部２６１の開口部よりも大きくなるようにしてもよい。そして、この場合には、接続体３５２が接続体収容部３５１の開口部より内方に窪んで収容されるようにし、被接続体２６２が被接続体収容部２６１の開口部より外方に突出して収容されるようにすればよい。
【符号の説明】
【００３８】
１  照明器具
２  取付部材
２１  照明体収容部
２１１  内周面
２１２  開口部
２２  設置面に対向する面
２３  設置面に対向する面の背面
２４  第１固定部材収容部
２５  第２固定部材収容部
２６  被接続部
２６１  被接続体収容部
２６２  被接続体
３  照明体
３１  発光部
３２  人感センサー部
３３  本体ケース
３３１  外周面
３４  電池収容部
３５  接続部
３５１  接続体収容部
３５２  接続体
３５３  ネジ部材
３６  溝部
３７  フック
３８  底面
【図１】
0006341789.tif 000002
【図２】
0006341789.tif 000003
【図３】
0006341789.tif 000004
【図４】
0006341789.tif 000005
【図５】
0006341789.tif 000006
【図６】
0006341789.tif 000007